(57)【要約】  角膜の形状を変えることにより視力を矯正するための角膜矯正コンタクトレンズであって、角膜と接するレンズ面が、中央に配置されて角膜を押圧するベース領域と称する中央部分、ベース領域の周囲に配置されてリバース領域と称する環状の部分、リバース領域の周囲に配置されてアライメント領域と称する環状の部分、アライメント領域の周囲に配置されてペリフェラル領域と称する環状の部分、を有してなり、ベース領域の曲率半径および幅、リバース領域の幅、アライメント領域の曲率半径および幅、ペリフェラル領域の曲率半径および幅、および、矯正したい度数が変化しても、リバース領域の曲率半径を変化させることで、同じアライメント領域の曲率半径の下では、角膜の矯正に必要なレンズの深さが一定であることを特徴とする角膜矯正コンタクトレンズである。
2018079072.tif 000002
【特許請求の範囲】
【請求項１】
角膜の形状を変えることにより視力を矯正するための角膜矯正コンタクトレンズであって、角膜と接するレンズ面が、中央に配置されて角膜を押圧するベース領域と称する中央部分、ベース領域の周囲に配置されてリバース領域と称する環状の部分、リバース領域の周囲に配置されてアライメント領域と称する環状の部分、アライメント領域の周囲に配置されてペリフェラル領域と称する環状の部分、を有してなり、ベース領域の曲率半径および幅、リバース領域の幅、アライメント領域の曲率半径および幅、ペリフェラル領域の曲率半径および幅、および、矯正したい度数が変化しても、リバース領域の曲率半径を変化させることで、角膜の矯正に必要なレンズの深さが一定であることを特徴とする角膜矯正コンタクトレンズ。
【請求項２】
同じアライメント領域の曲率半径の下で、角膜の矯正に必要なレンズの深さが一定である請求項１に記載の角膜矯正コンタクトレンズ。
【請求項３】
リバース領域の曲率半径が、ベース領域の曲率半径および幅、リバース領域の幅、アライメント領域の曲率半径および幅、および、ペリフェラル領域の曲率半径および幅に応じて導出されてなる請求項１または２に記載の角膜矯正コンタクトレンズ。
【請求項４】
ベース領域の幅をＷＢ、リバース領域の幅をＷＲ、ベース領域の曲率半径をＲＢ、リバース領域の曲率半径をＲＲ、アライメント領域の曲率半径をＲＡ、ベース領域のレンズ深さをＴＢ、リバース領域のレンズ深さをＴＲ、ベース領域の曲線とコンタクトレンズ中心軸とが交わる点と、アライメント領域の曲線の延長線とコンタクトレンズ中心軸とが交わる点、との直線距離をＳＰとしたとき、リバース領域のレンズ深さＴＲが、下記式（１）で導出され、リバース領域の曲率半径ＲＲが、ＴＲを用いて下記式（２）で導出される請求項１から３のいずれかに記載の角膜矯正コンタクトレンズ。【数１】
2018079072.tif 000021
（式（１）中、Ｅ＝ＷＢ／２、Ｆ＝ＷＢ／２＋ＷＲを表す。）
【数２】
2018079072.tif 000022
（式（２）中、Ｅ＝ＷＢ／２、Ｆ＝ＷＢ／２＋ＷＲを表す。）
【請求項５】
レンズ深さＴＲおよび曲率半径ＲＲが、それぞれ導出されたレンズ深さＴＲおよび曲率半径ＲＲを基準とする±１０％の範囲内である請求項４に記載の角膜矯正コンタクトレンズ。
【請求項６】
アライメント領域の曲率半径および幅がコンタクトレンズ中心軸方向から見て縦方向と横方向で異なる請求項１に記載の角膜矯正コンタクトレンズ。
【請求項７】
アライメント領域の曲率半径の最大値が同じ下で、角膜の矯正に必要なレンズの深さが一定である請求項６に記載の角膜矯正コンタクトレンズ。
【請求項８】
リバース領域の曲率半径が、ベース領域の曲率半径および幅、リバース領域の幅、アライメント領域の曲率半径の最大値および幅の最大値、および、ペリフェラル領域の曲率半径および幅に応じて導出されてなる請求項６または７に記載の角膜矯正コンタクトレンズ。
【請求項９】
ベース領域の幅をＷＢ、リバース領域の幅をＷＲ、ベース領域の曲率半径をＲＢ、リバース領域の曲率半径をＲＲ、アライメント領域の曲率半径の最大値をＲＡＶ、ベース領域のレンズ深さをＴＢ、リバース領域のレンズ深さをＴＲ、ベース領域の曲線とコンタクトレンズ中心軸とが交わる点と、アライメント領域の曲率半径の最大値となる曲線の延長線とコンタクトレンズ中心軸とが交わる点、との直線距離をＳＰとしたとき、リバース領域のレンズ深さＴＲが、下記式（３）で導出され、リバース領域の曲率半径ＲＲが、ＴＲを用いて下記式（２）で導出される請求項６から８のいずれかに記載の角膜矯正コンタクトレンズ。【数３】
2018079072.tif 000023
（式（３）中、Ｅ＝ＷＢ／２、Ｆ＝ＷＢ／２＋ＷＲを表す。）
【数４】
2018079072.tif 000024
（式（２）中、Ｅ＝ＷＢ／２、Ｆ＝ＷＢ／２＋ＷＲを表す。）
【請求項１０】
レンズ深さＴＲおよび曲率半径ＲＲが、それぞれ導出されたレンズ深さＴＲおよび曲率半径ＲＲを基準とする±１０％の範囲内である請求項９に記載の角膜矯正コンタクトレンズ。
【発明の詳細な説明】
【技術分野】
【０００１】  本発明は、角膜矯正コンタクトレンズに関する。より詳細には、角膜表面の形状を変形させるための構造を有する角膜矯正コンタクトレンズに関する。
【背景技術】
【０００２】  近視を矯正する手段として、複数の曲率半径を多段階に設けたコンタクトレンズを夜間装用して、角膜表面の形状を変形させ、角膜自体の焦点距離を変える治療法（オルソケラトロジー）および、この治療法に使用する角膜矯正コンタクトレンズ（オルソケラトロジーレンズ）が知られている（例えば特許文献１）。【０００３】  角膜矯正コンタクトレンズを用いた視力矯正の仕組みを説明する。【０００４】  まず近視の状態では、図１に示すように、角膜２の表面は、網膜に対して前に凸の曲率（図１で左側に凸の非球面形状）を有する。このため、焦点が網膜６上に結ばれることなく、網膜６の前で光の収束が起こる。【０００５】  この角膜２に、図２に示すように、角膜矯正コンタクトレンズ１をコルセットのように装用し、図１に示す角膜表面７の形状を矯正させる。【０００６】  これにより、角膜矯正コンタクトレンズ１を取り外した後も、図３に示すように、角膜表面７を扁平化させた状態とすることができる。【０００７】  このため、光の屈折力が調整されて、焦点が網膜６上に結ばれることとなり、一定時間、視力の改善を得られるものである。【０００８】  角膜矯正コンタクトレンズについて、角膜表面に接する面の形状が４つの部位に分かれるものが一般的である。すなわち、角膜矯正コンタクトレンズの中央に配置され、角膜表面を押圧して表面曲線の矯正を担う凹球面であるベース領域、ベース領域の周囲に配置され、ベース領域より移動する角膜組織を受け入れる環状のリバース領域、リバース領域の周囲に配置され、角膜矯正コンタクトレンズと角膜とのフィッティングおよび角膜矯正コンタクトレンズのセンタリングを調整する環状のアライメント領域、エッジを形成し、レンズの取り外しや涙液の角膜矯正コンタクトレンズ内への流入を助ける環状のペリフェラル領域である。
【先行技術文献】
【特許文献】
【０００９】
【特許文献１】特許第３８８１２２１号公報
【発明の概要】
【発明が解決しようとする課題】
【００１０】  特許文献１に記載される従来の角膜矯正コンタクトレンズでは、ベース領域の曲率半径は矯正前の角膜の平均曲率半径と矯正したい度数から決定されている。【００１１】  アライメント領域の曲率半径は、角膜へのフィッティングを高めるためにも矯正前の角膜の平均曲率半径に近い値となり、ベース領域の曲率半径をＲＢ、リバース領域の曲率半径をＲＲとしたとき、ＲＲ＝ＲＢ＋１１．００Ｄ〜１５．００Ｄ（Ｄ：ジオプトリー）を満足するように形成されていた。【００１２】  しかし、上記式に基づく従来の設計思想で導出された形状は、移動する角膜組織を受け入れる領域が確保されることを目的とした医学的なアプローチから導出されているため、矯正したい度数によって、角膜の矯正にかかる領域のレンズ深さが異なることとなる。【００１３】  この結果、上記式に基づく従来の導出手段によれば、矯正する度数が小さい場合には、角膜の矯正に掛かる領域のレンズ深さが深くなることから、眼軸方向へ角膜が押圧される量が浅くなる場合や、接触しない場合もあり、角膜中心部を十分に押圧することができず、期待する矯正度数が得られない、あるいは矯正視力を得るために時間を要するなど、矯正効果にバラツキを生じる場合があった。また、眼軸方向へ角膜が押圧される量が深くなる場合には、角膜表面を強く押し付けることから角膜を傷つける虞や、眼圧が低下することによる合併症を引き起こしやすくなる虞、眼の表面を荒らす虞があった。即ち、従来の、矯正したいベース領域の曲率半径からだけのリバース領域の曲率半径の値の導出方法では、矯正効果にバラツキを生じる虞や角膜を傷つける虞があった。【００１４】  そこで、本発明では、ベース領域の曲率半径と、アライメント領域の曲率半径から、リバース領域の曲率半径を導出した方が好ましいことを見出した。【００１５】  本発明では、矯正したい度数が異なる場合においても、リバース領域の曲率半径を変化させることで、同じアライメント領域の曲率半径の下では、角膜の矯正に掛かる領域のレンズ深さを一定とする角膜矯正コンタクトレンズを提供する。
【課題を解決するための手段】
【００１６】  前記課題を解決するために、本発明は以下の構成を有する。【００１７】  （１）角膜の形状を変えることにより視力を矯正するための角膜矯正コンタクトレンズであって、角膜と接するレンズ面が、中央に配置されて角膜を押圧するベース領域と称する中央部分、ベース領域の周囲に配置されてリバース領域と称する環状の部分、リバース領域の周囲に配置されてアライメント領域と称する環状の部分、アライメント領域の周囲に配置されてペリフェラル領域と称する環状の部分、を有してなり、ベース領域の曲率半径および幅、リバース領域の幅、アライメント領域の曲率半径および幅、ペリフェラル領域の曲率半径および幅、および、矯正したい度数が変化しても、リバース領域の曲率半径を変化させることで、角膜の矯正に必要なレンズの深さが一定であることを特徴とする角膜矯正コンタクトレンズ、  （２）角膜矯正コンタクトレンズにおいて、同じアライメント領域の曲率半径の下で、角膜の矯正に必要なレンズの深さが一定である（１）に記載する角膜矯正コンタクトレンズ、  （３）角膜矯正コンタクトレンズにおいて、リバース領域の曲率半径が、ベース領域の曲率半径および幅、リバース領域の幅、アライメント領域の曲率半径および幅、および、ペリフェラル領域の曲率半径および幅に応じて導出されてなる（１）または（２）に記載の角膜矯正コンタクトレンズ、  （４）ベース領域の幅をＷＢ、リバース領域の幅をＷＲ、ベース領域の曲率半径をＲＢ、リバース領域の曲率半径をＲＲ、アライメント領域の曲率半径をＲＡ、ベース領域のレンズ深さをＴＢ、リバース領域のレンズ深さをＴＲ、ベース領域の曲線とコンタクトレンズ中心軸とが交わる点と、アライメント領域の曲線の延長線とコンタクトレンズ中心軸とが交わる点、との直線距離をＳＰとしたとき、リバース領域のレンズ深さＴＲが、下記式（１）で導出され、リバース領域の曲率半径ＲＲが、ＴＲを用いて下記式（２）で導出される（３）に記載の角膜矯正コンタクトレンズ、【００１８】
【数１】
2018079072.tif 000003
【００１９】（式（１）中、Ｅ＝ＷＢ／２、Ｆ＝ＷＢ／２＋ＷＲを表す。）【００２０】
【数２】
2018079072.tif 000004
【００２１】（式（２）中、Ｅ＝ＷＢ／２、Ｆ＝ＷＢ／２＋ＷＲを表す。）  （５）レンズ深さＴＲおよび曲率半径ＲＲが、それぞれ導出されたレンズ深さＴＲおよび曲率半径ＲＲを基準とする±１０％の範囲内である（４）に記載する角膜矯正コンタクトレンズ、  （６）アライメント領域の曲率半径および幅がコンタクトレンズ中心軸方向から見て縦方向と横方向で異なる（１）に記載の角膜矯正コンタクトレンズ、  （７）アライメント領域の曲率半径の最大値が同じ下で、角膜の矯正に必要なレンズの深さが一定である（６）に記載の角膜矯正コンタクトレンズ、  （８）リバース領域の曲率半径が、ベース領域の曲率半径および幅、リバース領域の幅、アライメント領域の曲率半径の最大値および幅の最大値、および、ペリフェラル領域の曲率半径および幅に応じて導出されてなる（６）または（７）に記載の角膜矯正コンタクトレンズ、  （９）ベース領域の幅をＷＢ、リバース領域の幅をＷＲ、ベース領域の曲率半径をＲＢ、リバース領域の曲率半径をＲＲ、アライメント領域の曲率半径の最大値をＲＡＶ、ベース領域のレンズ深さをＴＢ、リバース領域のレンズ深さをＴＲ、ベース領域の曲線とコンタクトレンズ中心軸とが交わる点と、アライメント領域の曲率半径の最大値となる曲線の延長線とコンタクトレンズ中心軸とが交わる点、との直線距離をＳＰとしたとき、リバース領域のレンズ深さＴＲが、下記式（３）で導出され、リバース領域の曲率半径ＲＲが、ＴＲを用いて下記式（２）で導出される（６）から（８）のいずれかに記載の角膜矯正コンタクトレンズ、【００２２】
【数３】
2018079072.tif 000005
【００２３】（式（３）中、Ｅ＝ＷＢ／２、Ｆ＝ＷＢ／２＋ＷＲを表す。）【００２４】
【数４】
2018079072.tif 000006
【００２５】（式（２）中、Ｅ＝ＷＢ／２、Ｆ＝ＷＢ／２＋ＷＲを表す。）  （１０）レンズ深さＴＲおよび曲率半径ＲＲが、それぞれ導出されたレンズ深さＴＲおよび曲率半径ＲＲを基準とする±１０％の範囲内である（９）に記載の角膜矯正コンタクトレンズである。
【発明の効果】
【００２６】  本発明によれば、矯正したい度数が異なる場合においても、リバース領域の曲率半径を変化させることで、同じアライメント領域の曲率半径の下では、角膜の矯正に掛かる領域のレンズ深さを一定とする角膜矯正コンタクトレンズを提供する。
【図面の簡単な説明】
【００２７】
【図１】近視の状態における角膜形状の眼球概略図である。
【図２】角膜矯正コンタクトレンズを装用しているときの眼球概略図である。
【図３】角膜矯正コンタクトレンズを取り外した後の眼球概略図である。
【図４】本発明の角膜矯正コンタクトレンズの概略図である。
【図５】本発明の角膜矯正コンタクトレンズの形状を説明する概略模式図である。
【図６】本発明のトーリック用の角膜矯正コンタクトレンズの概略図である。
【図７】本発明のトーリック用の角膜矯正コンタクトレンズの形状を説明する概略模式図である。
【発明を実施するための形態】
【００２８】  本発明は、角膜の形状を変えることにより視力を矯正するための角膜矯正コンタクトレンズであって、角膜と接するレンズ面が、中央に配置されて角膜を押圧するベース領域と称する中央部分、ベース領域の周囲に配置されてリバース領域と称する環状の部分、リバース領域の周囲に配置されてアライメント領域と称する環状の部分、アライメント領域の周囲に配置されてペリフェラル領域と称する環状の部分、を有してなり、ベース領域の曲率半径および幅、リバース領域の幅、アライメント領域の曲率半径および幅、ペリフェラル領域の曲率半径および幅、および、矯正したい度数が変化しても、リバース領域の曲率半径を変化させることで、角膜の矯正に必要なレンズの深さが一定であり、さらに詳細には、同じアライメント領域の曲率半径の下で、角膜の矯正に必要なレンズの深さが一定であることを特徴とする角膜矯正コンタクトレンズである。
【００２９】  以下、本発明の好ましい実施形態の一例を示す。
【００３０】  まず、本発明の角膜矯正コンタクトレンズは酸素透過性の高いハードコンタクトレンズであることが好ましく、図４に示すように、本発明の角膜矯正コンタクトレンズは図１の角膜２と接する面形状は４つの部位に分かれる。
【００３１】  それらは、図１に示す角膜２と接して、角膜表面７を押圧して表面曲率半径の矯正を担う中央の球面部分であるベース領域Ｂ、ベース領域Ｂの周囲に配置され、ベース領域Ｂより移動する角膜組織を受け入れる環状のリバース領域Ｒ、リバース領域Ｒの周囲に配置され、角膜矯正コンタクトレンズ１と角膜２とのフィッティングおよび角膜矯正コンタクトレンズ１のセンタリングを調整する環状のアライメント領域Ａ、エッジを形成し、レンズの取り外しや涙液の角膜矯正コンタクトレンズ１内への流入を助けるペリフェラル領域Ｐである。
【００３２】  ベース領域Ｂの曲率半径ＲＢは、コンタクトレンズ中心軸Ｍを含む断面形状において、その中心点ＣＢはコンタクトレンズ中心軸Ｍ上に位置し、角膜表面７が矯正したい度数になるように曲率半径は決定される。この曲率半径に応じて角膜表面７の形状が変化するため近視を矯正することができる。
【００３３】  リバース領域Ｒでは、角膜矯正コンタクトレンズ１と角膜２の間に空間が形成され、ベース領域Ｂでの矯正により移動する角膜組織を受け入れる役割を担う。
【００３４】  アライメント領域Ａは、角膜２と接触、ないしは数ミクロンの距離をおいて接触に近い状態で、角膜矯正コンタクトレンズ１のセンタリング調整に寄与する。また、アライメント領域Ａの曲率半径ＲＡは、角膜２へのフィッティングを高めるためにも、その中心点ＣＡはコンタクトレンズ中心軸Ｍ上に位置し、矯正前の角膜表面曲率半径に近い値となることが好ましい。
【００３５】  ペリフェラル領域Ｐでは、角膜矯正コンタクトレンズ１端部から角膜２への涙液の流入を助ける役割を担い、装用時の異物感を少なくするため、その断面形状は丸みを帯びた円錐形状を成していることが好ましい。
【００３６】  ここで、図４に示すように、すべての曲面は、コンタクトレンズ中心軸Ｍを中心とした曲率半径であり、図１に示す角膜２に対して凹型の椀状をなしている。
【００３７】  また、曲面が連なるベース領域とリバース領域の移行点Ｊ１や、リバース領域とアライメント領域の移行点Ｊ２、アライメント領域とペリフェラル領域の移行点Ｊ３については、装用したときに角膜２をキズつけないようにするためにも丸みを帯びていることが好ましく、その曲率半径は０．０２〜４．００ｍｍであることが好ましい。
【００３８】  本発明の態様について、図５を用いて詳細に説明する。図５は、本発明の角膜矯正コンタクトレンズ１の概略模式図である。
【００３９】  図５中、ベース領域の幅をＷＢ、リバース領域の幅をＷＲ、アライメント領域の幅をＷＡ、ペリフェラル領域の幅をＷＰ、ベース領域の曲率半径をＲＢ、リバース領域の曲率半径をＲＲ、アライメント領域の曲率半径をＲＡ、ペリフェラル領域の曲率半径をＲＰ、ベース領域のレンズ深さをＴＢ、リバース領域のレンズ深さをＴＲ、角膜の矯正に掛かるレンズの深さＳＫ（＝ＴＢ＋ＴＲ）、および、ベース領域の曲線とコンタクトレンズ中心軸が交わる点Ｋ１と、アライメント領域の曲線の延長線とコンタクトレンズ中心軸Ｍが交わる点Ｋ２、との直線距離をＳＰとする。
【００４０】  ベース領域の曲率半径ＲＢについては、矯正したい度数になるように曲率半径が決定されるため、ベース領域のレンズ深さＴＢは、ベース領域の幅ＷＢによって下記式（４）より導出される。
【００４１】
【数５】
2018079072.tif 000007
【００４２】アライメント領域の曲率半径ＲＡは、角膜２へのフィッティングを高めるためにも、矯正前の角膜の平均曲率半径ＲＫに近い値とすることが好ましい。
【００４３】  本発明では、角膜矯正コンタクトレンズの中心軸Ｍを含む断面において、前記ＲＢ、ＷＢ、ＷＲ、ＲＡ、ＷＡ、ＲＰ、ＷＰ、および、矯正したい度数が変化しても、リバース領域の曲率半径ＲＲを変化させることで、角膜の矯正に必要なレンズの深さが一定であり、さらには、同じアライメント領域の曲率半径ＲＡの下で、角膜の矯正に掛かるレンズの深さＳＫが一定であることを特徴とする。
【００４４】  具体的には、本発明の角膜矯正コンタクトレンズの中心軸Ｍを含む断面において、角膜の矯正に掛かるレンズの深さＳＫの値を指定してリバース領域のレンズ深さＴＲを導出し、その値を満たすようにリバース領域の曲率半径ＲＲを決定することで、角膜の矯正に掛かるレンズの深さＳＫを一定とすることが可能である。
【００４５】  つまり、本発明の角膜矯正コンタクトレンズの中心軸Ｍを含む断面において、前記ＲＢ、ＷＢ、ＳＫ、および、ＴＢより、リバース領域のレンズ深さＴＲが、ＴＲ＝ＳＫ−ＴＢにより求められる。この結果、前記ＴＢ、ＲＢ、ＷＢ、ＴＲ、ＷＲ、ＲＡ、ＷＡ、ＲＰ、および、ＷＰより、ベース領域とリバース領域の移行点Ｊ１およびリバース領域とアライメント領域の移行点Ｊ２を決定することができる。
【００４６】  リバース領域Ｒの曲線は、ベース領域とリバース領域の移行点Ｊ１と、リバース領域とアライメント領域のＪ２を通るものであれば、同じアライメント領域の曲率半径ＲＡの下で、矯正したい度数が変化しても角膜の矯正に掛かるレンズの深さＳＫを一定にすることが可能である。
【００４７】  ここで、リバース領域の曲率半径ＲＲについて、その中心点ＣＲがコンタクトレンズ中心軸Ｍ上に位置するものであれば、矯正により移動する角膜組織を受け入れるための適度な空間を形成できることから、さらに好ましい。
【００４８】  また、ベース領域の曲線とコンタクトレンズ中心軸Ｍが交わる点Ｋ１と、アライメント領域の曲線の延長線とコンタクトレンズ中心軸Ｍが交わる点Ｋ２、との直線距離ＳＰからリバース領域のレンズ深さＴＲを導出し、その値を満たすようにリバース領域の曲率半径ＲＲを決定することで、角膜の矯正に掛かるレンズの深さＳＫを一定としても良い。
【００４９】  角膜矯正コンタクトレンズの中心軸Ｍを含む断面において、前記ＲＢ、ＷＢ、ＷＲ、ＲＡ、ＷＡ、ＲＰ、ＷＰ、ＴＢ、ＴＲ、そして、Ｋ１とＫ２の直線距離をＳＰ、計算式を簡略化するために、Ｅ＝ＷＢ／２、Ｆ＝ＷＢ／２＋ＷＲとしたとき、リバース領域のレンズ深さＴＲは、下記式（１）で導出される。
【００５０】
【数６】
2018079072.tif 000008
【００５１】  このリバース領域のレンズ深さＴＲを用いたリバース領域の曲率半径ＲＲは、その中心点ＣＲがコンタクトレンズ中心軸Ｍ上に位置し、下記式（２）
【００５２】
【数７】
2018079072.tif 000009
【００５３】を満足する。このとき、ベース領域とリバース領域の移行点Ｊ１およびリバース領域とアライメント領域の移行点Ｊ２を通り、角膜の矯正に掛かる領域のレンズ深さＳＫを一定にすることができる。これが本発明の角膜矯正コンタクトレンズである。
【００５４】  また、本発明によれば、角膜の平均曲率半径ＲＫが、アライメント領域の曲率半径ＲＡと同じ一様な曲面であると仮定したとき、ベース領域の曲線とコンタクトレンズ中心軸Ｍが交わる点Ｋ１と、アライメント領域の曲線の延長線とコンタクトレンズ中心軸Ｍが交わる点Ｋ２の直線距離ＳＰを、眼軸方向への角膜の押さえ量を仮定した設計値と置き換えることもできる。
【００５５】  このため、本発明の角膜矯正コンタクトレンズは、矯正したい度数に応じて、適切な角膜の押さえ量を仮定した設計値を基にした処方にも繋がる。これより、従来の角膜矯正コンタクトレンズと比べて、中心部を十分に押圧することができる形状を導出することができるので好ましい。
【００５６】  なお、正確に式（１）および式（２）、式（４）に一致しなくても、式（１）および式（２）、式（４）の値を中心値とする±１０％の範囲内を通る曲面とすれば、実用上十分な効果を得ることができる。
【００５７】  また、トーリック用の角膜矯正コンタクトレンズがある。これは、図６に示すように、角膜矯正コンタクトレンズを中心軸方向から見て、アライメント領域の曲率半径ＲＡおよび幅ＷＡが縦方向と横方向で異なる。
【００５８】  トーリック用の角膜矯正コンタクトレンズにおいては、アライメント領域の曲率半径の数値が最大となる、図６で示す横方向の曲率半径をＲＡＶ、アライメント領域の曲率半径の数値が最小となる、図６で示す縦方向の曲率半径をＲＡＨとしたとき、ＲＡＶ＝ＲＡＨ＋０．５０Ｄ〜６．００Ｄ（Ｄ：ジオプトリー）を満足するように形成される。
【００５９】  また、アライメント領域の曲率半径ＲＡＶの幅ＷＡＶについては、ＷＡＶ＝（コンタクトレンズ径Ｄ−（ＷＢ＋２・ＷＲ＋２・ＷＰ））／２を満足するように導出され、角膜矯正コンタクトレンズを中心軸方向から見て、アライメント領域の形状は、縦横比が０．９０より大きく、１．００未満の楕円形状となる。
【００６０】  本発明のトーリック用の角膜矯正コンタクトレンズ態様について、図７を用いて詳細に説明する。
【００６１】  図７は、本発明のトーリック用の角膜矯正コンタクトレンズ１の概略模式図であり、角膜矯正コンタクトレンズの中心軸Ｍを通り、アライメント領域の曲率半径の数値が最大となる、図６で示す横方向の断面である。
【００６２】  図７中、ベース領域の幅をＷＢ、リバース領域の幅をＷＲ、アライメント領域の幅をＷＡＶ、ペリフェラル領域の幅をＷＰ、ベース領域の曲率半径をＲＢ、リバース領域の曲率半径をＲＲ、アライメント領域の最大となる曲率半径をＲＡＶ、ペリフェラル領域の曲率半径をＲＰ、ベース領域のレンズ深さをＴＢ、リバース領域のレンズ深さをＴＲ、角膜の矯正に掛かるレンズの深さＳＫ（＝ＴＢ＋ＴＲ）、および、ベース領域の曲線とコンタクトレンズ中心軸が交わる点Ｋ１と、アライメント領域の曲率半径が最大値となる曲線の延長線とコンタクトレンズ中心軸Ｍが交わる点Ｋ３、との直線距離をＳＰＴとする。
【００６３】  ベース領域の曲率半径ＲＢについては、矯正したい度数になるように曲率半径が決定されるため、ベース領域のレンズ深さＴＢは、ベース領域の幅ＷＢによって下記式（４）より導出される。
【００６４】
【数８】
2018079072.tif 000010
【００６５】  アライメント領域の最大となる曲率半径ＲＡＶは、角膜２へのフィッティングを高めるためにも、矯正前の角膜の最大曲率半径ＲＫＴに近い値とすることが好ましい。
【００６６】  本発明では、角膜矯正コンタクトレンズの中心軸Ｍをとおり、アライメント領域の曲率半径の数値が最大となる断面において、前記ＲＢ、ＷＢ、ＷＲ、ＲＡＶ、ＷＡＶ、ＲＡＨ、ＷＡＨ、ＲＰ、ＷＰ、および、矯正したい度数が変化しても、リバース領域の曲率半径ＲＲを変化させることで、角膜の矯正に必要なレンズの深さが一定であり、さらには、同じアライメント領域の最大曲率半径ＲＡＶの下で、角膜の矯正に掛かるレンズの深さＳＫが一定であることを特徴とする。
【００６７】  具体的には、本発明の角膜矯正コンタクトレンズの中心軸Ｍをとおり、アライメント領域の曲率半径の数値が最大となる断面において、角膜の矯正に掛かるレンズの深さＳＫの値を指定してリバース領域のレンズ深さＴＲを導出し、その値を満たすようにリバース領域の曲率半径ＲＲを決定することで、角膜の矯正に掛かるレンズの深さＳＫを一定とすることが可能である。
【００６８】  ここで、リバース領域の曲率半径ＲＲについて、その中心点ＣＲがコンタクトレンズ中心軸Ｍ上に位置するものであれば、矯正により移動する角膜組織を受け入れるための適度な空間を形成できることから、さらに好ましい。
【００６９】  また、ベース領域の曲線とコンタクトレンズ中心軸Ｍが交わる点Ｋ１と、アライメント領域の曲率半径が最大値となる曲線の延長線とコンタクトレンズ中心軸Ｍが交わる点Ｋ３、との直線距離ＳＰＴからリバース領域のレンズ深さＴＲを導出し、その値を満たすようにリバース領域の曲率半径ＲＲを決定することで、角膜の矯正に掛かるレンズの深さＳＫを一定としても良い。
【００７０】  角膜矯正コンタクトレンズの中心軸Ｍを通り、アライメント領域の曲率半径の数値が最大となる断面において、前記ＲＢ、ＷＢ、ＷＲ、ＲＡＶ、ＷＡＶ、ＲＰ、ＷＰ、ＴＢ、ＴＲ、そして、Ｋ１とＫ３の直線距離をＳＰＴ、計算式を簡略化するために、Ｅ＝ＷＢ／２、Ｆ＝ＷＢ／２＋ＷＲとしたとき、リバース領域のレンズ深さＴＲは、下記式（３）で導出される。
【００７１】
【数９】
2018079072.tif 000011
【００７２】  このリバース領域のレンズ深さＴＲを用いたリバース領域の曲率半径ＲＲは、その中心点ＣＲがコンタクトレンズ中心軸Ｍ上に位置し、下記式（２）
【００７３】
【数１０】
2018079072.tif 000012
【００７４】を満足する。このとき、ベース領域とリバース領域の移行点Ｊ１およびリバース領域とアライメント領域の移行点Ｊ２を通り、角膜の矯正に掛かる領域のレンズ深さＳＫを一定にすることができる。これが本発明のトーリック用の角膜矯正コンタクトレンズである。
【００７５】  また、本発明によれば、角膜の最大曲率半径ＲＫＴが、アライメント領域の最大曲率半径ＲＡＶと同じであると仮定したとき、ベース領域の曲線とコンタクトレンズ中心軸Ｍが交わる点Ｋ１と、アライメント領域の曲率半径が最大値となる曲線の延長線とコンタクトレンズ中心軸Ｍが交わる点Ｋ３の直線距離ＳＰＴを、眼軸方向への角膜の押さえ量を仮定した設計値と置き換えることもできる。
【００７６】  このため、本発明のトーリック用の角膜矯正コンタクトレンズは、矯正したい度数に応じて、適切な角膜の押さえ量を仮定した設計値を基にした処方にも繋がる。これより、従来の角膜矯正コンタクトレンズと比べて、中心部を十分に押圧することができる形状を導出することができるので好ましい。
【００７７】  なお、正確に式（２）から式（４）に一致しなくても、式（２）から式（４）の値を中心値とする±１０％の範囲内を通る曲面とすれば、実用上十分な効果を得ることができる。
【実施例】
【００７８】  以下本発明について、実施例を示して説明する。尚、それぞれの曲率半径の値および高さについては接触式の輪郭形状測定器（ミツトヨ社製）にて計測した。【００７９】  ［実施例１］  サンプルＡについて、角膜の屈折力が４２．００ジオプトリー、角膜曲率半径が８．０４ｍｍ、屈折異常が−２．５０であると仮定した眼を対象とする、角膜矯正コンタクトレンズを製作した。このとき、目標矯正度数は＋０．７５ジオプトリーとしたため、角膜矯正コンタクトレンズのベース領域の曲率半径ＲＢは８．７１ｍｍである。また、角膜矯正コンタクトレンズ径Ｄを１０．６ｍｍ、ベース領域の幅ＷＢを６．２０ｍｍ、リバース領域の幅ＷＲを０．４０ｍｍ、アライメント領域の曲率半径ＲＡを８．０４ｍｍ、ベース領域の曲線とコンタクトレンズ中心軸が交わる点と、アライメント領域の曲線の延長線とコンタクトレンズ中心軸が交わる点、との直線距離ＳＰを０．０３ｍｍとし、計算式を省略するために、Ｅ＝ＷＢ／２、Ｆ＝ＷＢ／２＋ＷＲとした下記式（１）より、リバース領域のレンズ深さＴＲを導出し、【００８０】
【数１１】
2018079072.tif 000013
【００８１】  このリバース領域のレンズ深さＴＲを用いて、下記式（２）よりリバース領域の曲率半径ＲＲを求めた。【００８２】
【数１２】
2018079072.tif 000014
【００８３】  この結果、サンプルＡの角膜矯正コンタクトレンズのリバース領域のレンズ深さＴＲおよびリバース領域の曲率半径ＲＲは、それぞれ０．２０ｍｍ、７．３４ｍｍであり、角膜の矯正に掛かるレンズの深さＳＫは、０．７７ｍｍとなった。【００８４】  ［実施例２］  同様に、サンプルＢについて、角膜の屈折力が４２．００ジオプトリー、角膜曲率半径が８．０４ｍｍ、屈折異常が−５．００であると仮定した眼を対象とする、角膜矯正コンタクトレンズを製作した。このとき、目標矯正度数は、サンプルＡと同様に＋０．７５ジオプトリーとしたため、角膜矯正コンタクトレンズのベース領域の曲率ＲＢは９．３１ｍｍである。また、角膜矯正コンタクトレンズ径Ｄを１０．６ｍｍ、ベース領域の幅ＷＢを６．２０ｍｍ、リバース領域の幅ＷＲを０．４０ｍｍ、アライメント領域の曲率半径ＲＡを８．０４ｍｍ、ベース領域の曲線とコンタクトレンズ中心軸が交わる点と、アライメント領域の曲線の延長線とコンタクトレンズ中心軸が交わる点、との直線距離ＳＰを０．０３ｍｍとし、計算式を省略するために、Ｅ＝ＷＢ／２、Ｆ＝ＷＢ／２＋ＷＲとした下記式（１）より、リバース領域のレンズ深さＴＲを導出し、【００８５】
【数１３】
2018079072.tif 000015
【００８６】  このリバース領域のレンズ深さＴＲを用いて、下記式（２）よりリバース領域の曲率半径ＲＲを求めた。【００８７】
【数１４】
2018079072.tif 000016
【００８８】  この結果、サンプルＢの角膜矯正コンタクトレンズのリバース領域のレンズ深さＴＲおよびリバース領域の曲率半径ＲＲは、それぞれ０．２４ｍｍ、６．４１ｍｍであり、角膜の矯正に掛かるレンズの深さＳＫは、０．７７ｍｍとなった。【００８９】  ［実施例３］  サンプルＣについて、角膜の屈折力が４２．００ジオプトリー、横方向の角膜曲率半径が８．０４ｍｍ、縦方向の角膜曲率半径が７．７６ｍｍ、屈折異常が−２．５０であると仮定した眼を対象とする、トーリック用の角膜矯正コンタクトレンズを製作した。このとき、目標矯正度数は＋０．７５ジオプトリーとしたため、角膜矯正コンタクトレンズのベース領域の曲率ＲＢは８．７１ｍｍである。また、角膜矯正コンタクトレンズ径Ｄを１０．６ｍｍ、ベース領域の幅ＷＢを６．２０ｍｍ、リバース領域の幅ＷＲを０．４０ｍｍとした。ここで、アライメント領域の曲率半径の数値が最大となる曲率半径ＲＡＶは８．０４ｍｍ、ベース領域の曲線とコンタクトレンズ中心軸が交わる点と、アライメント領域の曲線の延長線とコンタクトレンズ中心軸が交わる点、との直線距離ＳＰＴを０．０３ｍｍとし、計算式を省略するために、Ｅ＝ＷＢ／２、Ｆ＝ＷＢ／２＋ＷＲとした下記式（３）より、リバース領域のレンズ深さＴＲを導出し、【００９０】
【数１５】
2018079072.tif 000017
【００９１】  このリバース領域のレンズ深さＴＲを用いて、下記式（２）よりリバース領域の曲率半径ＲＲを求めた。【００９２】
【数１６】
2018079072.tif 000018
【００９３】  この結果、サンプルＣの角膜矯正コンタクトレンズのリバース領域のレンズ深さＴＲおよびリバース領域の曲率半径ＲＲは、それぞれ０．２０ｍｍ、７．３４ｍｍであり、角膜の矯正に掛かるレンズの深さＳＫは、０．７７ｍｍとなった。【００９４】  ［実施例４］  サンプルＤについて、角膜の屈折力が４２．００ジオプトリー、横方向の角膜曲率半径が８．０４ｍｍ、縦方向の角膜曲率半径が７．７６ｍｍ、屈折異常が−５．００であると仮定した眼を対象とする、トーリック用の角膜矯正コンタクトレンズを製作した。このとき、目標矯正度数は、サンプルＣと同様に＋０．７５ジオプトリーとしたため、角膜矯正コンタクトレンズのベース領域の曲率ＲＢは９．３１ｍｍである。また、角膜矯正コンタクトレンズ径Ｄを１０．６ｍｍ、ベース領域の幅ＷＢを６．２０ｍｍ、リバース領域の幅ＷＲを０．４０ｍｍとした。ここで、アライメント領域の曲率半径の数値が最大となる曲率半径ＲＡＶは８．０４ｍｍ、ベース領域の曲線とコンタクトレンズ中心軸が交わる点と、アライメント領域の曲線の延長線とコンタクトレンズ中心軸が交わる点、との直線距離ＳＰＴを０．０３ｍｍとし、計算式を省略するために、Ｅ＝ＷＢ／２、Ｆ＝ＷＢ／２＋ＷＲとした下記式（３）より、リバース領域のレンズ深さＴＲを導出し、【００９５】
【数１７】
2018079072.tif 000019
【００９６】  このリバース領域のレンズ深さＴＲを用いて、下記式（２）よりリバース領域の曲率半径ＲＲを求めた。【００９７】
【数１８】
2018079072.tif 000020
【００９８】  この結果、サンプルＤの角膜矯正コンタクトレンズのリバース領域のレンズ深さＴＲおよびリバース領域の曲率半径ＲＲは、それぞれ０．２４ｍｍ、６．４１ｍｍであり、角膜の矯正に掛かるレンズの深さＳＫは、０．７７ｍｍとなった。【００９９】  これらより、同じアライメント領域の曲率半径の下、トーリックを対象とする場合には同じ最大となるアライメント領域の曲率半径の下では、矯正したい度数が異なる場合においても、リバース領域の曲率半径を変化させることで、角膜の矯正に掛かる領域のレンズ深さが一定となる角膜矯正コンタクトレンズを得ることができた。
【産業上の利用可能性】
【０１００】  本発明は、角膜矯正用のコンタクトレンズとして適用できるものである。
【符号の説明】
【０１０１】１：角膜矯正コンタクトレンズ２：角膜３：眼軸４：虹彩５：水晶体６：網膜７：角膜表面Ｄ：角膜矯正コンタクトレンズ径Ｂ：ベース領域Ｒ：リバース領域Ａ：アライメント領域Ｐ：ペリフェラル領域Ｊ１：ベース領域とリバース領域が交わる移行点Ｊ２：リバース領域とアライメント領域とが交わる移行点Ｊ３：アライメント領域とペリフェラル領域とが交わる移行点Ｋ１：ベース領域の曲線とコンタクトレンズ中心軸が交わる点Ｋ２：アライメント領域の曲線の延長線とコンタクトレンズ中心軸が交わる点Ｋ３：アライメント領域の曲率半径が最大値となる曲線の延長線とコンタクトレンズ中心軸Ｍが交わる点Ｍ：コンタクトレンズ中心軸ＣＢ：ベース領域の曲率半径の中心点ＣＲ：リバース領域の曲率半径の中心点ＣＡ：アライメント領域の曲率半径の中心点ＣＡＶ：アライメント領域の最大曲率半径の中心点ＣＰ：ペリフェラレル領域の曲率半径の中心点ＲＫ：角膜の平均曲率半径ＲＫＴ：角膜の最大曲率半径ＲＢ：ベース領域の曲率半径ＲＲ：リバース領域の曲率半径ＲＡ：アライメント領域の曲率半径ＲＡＨ：トーリック用の角膜矯正コンタクトレンズにおけるアライメント領域の最小曲率半径ＲＡＶ：トーリック用の角膜矯正コンタクトレンズにおけるアライメント領域の最大曲率半径ＲＰ：ペリフェラル領域の曲率半径ＲＰＨ：トーリック用の角膜矯正コンタクトレンズにおけるアライメント領域最小曲率半径をもつ方向のペリフェラル領域の曲率半径ＴＢ：ベース領域のレンズ深さＴＲ：リバース領域のレンズ深さＳＫ：角膜の矯正に掛かる領域のレンズ深さＳＰ：ベース領域の曲線とコンタクトレンズ中心軸が交わる点と、アライメント領域の曲線の延長線とコンタクトレンズ中心軸が交わる点、との直線距離ＳＰＴ：ベース領域の曲線とコンタクトレンズ中心軸が交わる点と、アライメント領域の曲率半径が最大値となる曲線の延長線とコンタクトレンズ中心軸が交わる点、との直線距離ＷＢ：ベース領域の幅ＷＲ：リバース領域の幅ＷＡ：アライメント領域の幅ＷＡＨ：トーリック用の角膜矯正コンタクトレンズにおけるアライメント領域最小曲率半径をもつ方向の幅ＷＡＶ：トーリック用の角膜矯正コンタクトレンズにおけるアライメント領域最大曲率半径をもつ方向の幅ＷＰ：ペリフェラル領域の幅ＷＰＨ：トーリック用の角膜矯正コンタクトレンズにおけるアライメント領域最小曲率半径をもつ方向のペリフェラル領域の幅
【図１】
2018079072.tif 000025
【図２】
2018079072.tif 000026
【図３】
2018079072.tif 000027
【図４】
2018079072.tif 000028
【図５】
2018079072.tif 000029
【図６】
2018079072.tif 000030
【図７】
2018079072.tif 000031
【国際調査報告】
2018079072.tif 000032
2018079072.tif 000033